(57)【要約】【課題】サイズが大きく重量が重く高付加価値な高価なロール製品であっても、特殊なコアを用いることなく安価なコアを用いて、安全かつ効率よく保持し搬送するロール製品用ラックを提供する。【解決手段】パレット１００上に軸方向に沿って対向配置された側枠３００に、布部４２０の両縁に製品受け布芯材４１０を設置した製品受け布４００を設置し、この布部４２０上にロール製品を載置する。ロール製品は、布部４２０によりその外周面の下方が包まれるように支持されて、パレット１００上の空間に保持される。【選択図】  図１
2014037243.tif 000002
【特許請求の範囲】
【請求項１】
パレットと、
前記パレットの対向する一方の辺縁に沿って立設されるとともに、各々前記パレット上に折り畳み可能な一対の妻枠と、
前記パレットの対向する他方の辺縁に沿って立設され前記一対の妻枠の対向する側辺を連結するとともに、各々前記パレット上に折り畳み可能な一対の側枠と、
前記一対の側枠に両側縁部が設置され当該一対の側枠の間に設置されるハンモック状の布状部材であって、収容対象のロール製品の外周面を支持し当該ロール製品を前記パレット上に保持する製品受け布と、
前記製品受け布により前記パレット上に保持された前記ロール製品のコアの少なくとも上方向への移動を防止する製品押え部材と、
前記製品受け布により前記パレット上に保持された前記ロール製品の前記コアの、前記妻枠に平行な横方向及び前記側枠に平行な軸方向の移動を防止するストッパー部材と、
を有するロール製品用ラック。
【請求項２】
前記一対の妻枠の対向する各側辺の各対向面には、板状部材が上方から挿入可能で、前記板状部材が挿入された場合は当該板状部材を保持可能な係合受け部が形成されており、
前記一対の側枠の両側辺の外面であって前記妻枠の前記対向面に対向する面には、前記妻枠の前記係合受け部に挿入可能な板状部材である板状係合部が形成されており、
前記側枠は、両側辺の前記板状係合部を、前記一対の妻枠の対向する各側辺の各対向面の前記係合受け部に挿入することにより、前記一対の妻枠の対向する側辺を連結した状態で前記パレットの対向する他方の辺縁に沿って立設される請求項１に記載のロール製品用ラック。
【請求項３】
前記パレットは、前記一対の妻枠及び前記一対の側枠を前記パレット上に折り畳んだ当該ロール製品用ラックを段積みする際に、上段に載置される当該ロール製品用ラックの底部と係合する上端部、及び、下段に載置される当該ロール製品用ラックの前記上端部と係合する前記底部を有するコーナー部を、各角部に有する請求項１又は２に記載のロール製品用ラック。
【請求項４】
前記側枠は、前記ロール製品を収容した当該ロール製品用ラックを段積みする際に、上段に載置される当該ロール製品用ラックの前記パレットの前記コーナー部の前記底部と係合する上部を有する支柱部を有する請求項１〜３のいずれかに記載のロール製品用ラック。
【請求項５】
前記製品押え部材は、前記製品受け布に保持された前記ロール製品の前記コアの端部の上方面を経由し、両端が前記パレットに設置されたベルト状部材である請求項１〜４のいずれかに記載のロール製品用ラック。
【請求項６】
前記ストッパー部材は、前記製品受け布により前記パレット上に保持された前記ロール製品の前記コアの前記横方向の移動を防止する横振れストッパーと、当該コアの前記軸方向の移動を防止する軸振れストッパーとを有する請求項１〜５のいずれかに記載のロール製品用ラック。
【発明の詳細な説明】
【技術分野】
【０００１】
本発明は、サイズが大きく重量も重く高価なロール製品を安全に保持し搬送等することのできるロール製品用ラックに関する。
【背景技術】
【０００２】
従来、ロール製品の収容、搬送等を安全かつ効率よく行うロール製品用ラックとしては、例えば特許文献１に開示されているロール製品用ラックがある。このロール製品用ラックにおいては、ロール製品の両側に突出しているコア（支管）を支管受けによりロール製品の両側で支持することにより、ロール製品をパレット上に保持している。そして特に引用文献１に開示のロール製品用ラックにおいては、支管受けが設置された仕切り枠を移動自在に構成することにより、複数種類の長さのロール製品あるいは任意の長さのロール製品に対応可能になっている。また、引用文献１に記載のロール製品用ラックにおいては、使用に際しては仕切り枠をパレット上に立設させてロール製品を収容し、使用後は仕切り枠をパレットの上に折り畳んでロール製品用ラックを回送等するような組み立て式の構成となっている。このような組み立て式のラックは、回収時に容積を小さくすることができるので、繰り返し使用するロール製品用ラックにおいては好ましい構造である。
【先行技術文献】
【特許文献】
【０００３】
【特許文献１】特開２０１０−１７３７１６号公報
【発明の概要】
【発明が解決しようとする課題】
【０００４】
ところで、この種のロール製品用ラックで搬送等されるロール製品は工業用製品、工業用材料が主であるが、中には、非常にサイズが大きく、重量の重いものがある。そのようなサイズが大きく重量の重いロール製品は、その両端でコアの端部を支持したのでは、ロール製品を適切に保持できない場合がある。ロール製品をロール製品用ラックに保持して搬送等するためには、ロール製品の自重の例えば約３倍程度の衝撃荷重がかかると考えられており、例えば３００ｋｇのロール製品を保持し搬送等する際には約１ｔの荷重がかかることになるが、このような条件でロール製品のコアの両端のみを支持したのでは、コアが変形したり破損したりする可能性が考えられる。従って、上述した従来のラックでは、そのような大型で重いロール製品を安全かつ効率よく搬送等することはできない。
【０００５】
仮に、それでもなお上述した従来の形態で大型で重いロール製品を搬送等しようとすると、コアを非常に剛性が高くかつ硬度の高い部材で構成する必要がある。しかしながらそのような特殊なコアは、製造コストが高く、使用後の回送あるいは処分等の費用も考慮せざるを得ず、ロール製品の搬送等のコストを高騰させることとなり好ましくない。特に、近年の材料分野を中心とする科学技術の進展により、付加価値の高い、すなわち高価な高機能材料がロール製品の形態で提供されることもあり、そのような場合には少しでも製品の供給コストを下げることが要望されている。従って、たとえ搬送コストと言えども低減することが望まれており、ロール製品のコアは、なるべく通常の部材、あるいはより安価な部材を用いたいという要望が高い。
【０００６】
本発明はこのような課題に鑑みてなされたものであって、その目的は、サイズが大きく重量が重く高付加価値な高価なロール製品であっても、特殊なコアを用いることなく、換言すれば安価なコアを用いて、安全かつ効率よく保持し、搬送等をすることができるロール製品用ラックを提供することにある。
【課題を解決するための手段】
【０００７】
前記課題を解決するために、本発明のロール製品用ラックは、パレットと、パレットの対向する一方の辺縁に沿って立設されるとともに各々パレット上に折り畳み可能な一対の妻枠と、パレットの対向する他方の辺縁に沿って立設され一対の妻枠の対向する側辺を連結するとともに各々パレット上に折り畳み可能な一対の側枠と、一対の側枠に両側縁部が設置され一対の側枠の間に設置されるハンモック状の布状部材であって、収容対象のロール製品の外周面を支持しロール製品をパレット上に保持する製品受け布と、製品受け布によりパレット上に保持されたロール製品のコアの少なくとも上方向への移動を防止する製品押え部材と、製品受け布によりパレット上に保持されたロール製品のコアの妻枠に平行な横方向及び側枠に平行な軸方向の移動を防止するストッパー部材とを有することを特徴とするものである。
【０００８】
好適には、本発明のロール製品用ラックにおいては、一対の妻枠の対向する各側辺の各対向面には、板状部材が上方から挿入可能で板状部材が挿入された場合は板状部材を保持可能な係合受け部が形成されており、一対の側枠の両側辺の外面であって妻枠の対向面に対向する面には、妻枠の係合受け部に挿入可能な板状部材である板状係合部が形成されており、側枠は、両側辺の板状係合部を一対の妻枠の対向する各側辺の各対向面の係合受け部に挿入することにより、一対の妻枠の対向する側辺を連結した状態でパレットの対向する他方の辺縁に沿って立設される。
【０００９】
また好適には、本発明のロール製品用ラックにおいてパレットは、一対の妻枠及び一対の側枠をパレット上に折り畳んだロール製品用ラックを段積みする際に上段に載置されるロール製品用ラックの底部と係合する上端部、及び、下段に載置されるロール製品用ラックの上端部と係合する底部を有するコーナー部を、各角部に有する。
【００１０】
また好適には、本発明のロール製品用ラックにおいて側枠は、ロール製品を収容した当該ロール製品用ラックを段積みする際に、上段に載置される当該ロール製品用ラックのパレットのコーナー部の底部と係合する上部を有する支柱部を有する。
【００１１】
また好適には、本発明のロール製品用ラックにおいて製品押え部材は、製品受け布に保持されたロール製品のコアの端部の上方面を経由し、両端がパレットに設置されたベルト状部材である。
【００１２】
また好適には、本発明のロール製品用ラックにおいてストッパー部材は、製品受け布によりパレット上に保持されたロール製品のコアの横方向の移動を防止する横振れストッパーと、そのコアの軸方向の移動を防止する軸振れストッパーとを有する。
【発明の効果】
【００１３】
本発明によれば、サイズが大きく重量が重く高付加価値な高価なロール製品であっても、特殊なコア（支管）を用いることなく、換言すれば安価なコアを用いて、安全かつ効率よく保持し搬送等をすることができるロール製品用ラックを提供することができる。
【図面の簡単な説明】
【００１４】
【図１】図１は、本発明の一実施形態のロール製品用ラックの全体構成及び使用形態を示す斜視図である。
【図２】図２は、図１に示したロール製品用ラックの構成部材を説明するための分解斜視図である。
【図３】図３は、図１に示したロール製品用ラックの組み立て状態を示す図であり、（Ａ）は正面図であり、（Ｂ）は側面図である。
【図４】図４は、図１に示したロール製品用ラックの折り畳み状態を示す図であり、（Ａ）は正面図であり、（Ｂ）は側面図である。
【発明を実施するための形態】
【００１５】
本発明の一実施形態のロール製品用ラックについて、図１〜図４を参照して説明する。
図１は、そのロール製品用ラック１の全体構成及び使用形態を示す斜視図であり、図２は、ロール製品用ラック１の分解斜視図であり、図３は、ロール製品用ラック１の組み立て状態を示す図であり、図４は、ロール製品用ラック１の折り畳み状態を示す図である。
図１及び図２に示すように、ロール製品用ラック１は、パレット１００、一対の妻枠２００、一対の側枠３００、製品受け布４００、及び、製品押えベルト５００（２個）を有する。
【００１６】
まず、ロール製品用ラック１の各部の構成について説明する。
【００１７】
パレット１００は、ロール製品用ラック１の基台である。パレット１００は、略直方体形状をなし、少なくとも長手方向の側面にはフォークリフトの爪部（フォーク）が差し込まれるリフト用開口１０１が形成されている。本実施形態においてパレット１００は、スチール製の角筒パイプ、断面Ｕ字状の棒状鋼材あるいは断面Ｌ字状の棒状鋼材等（以下、これらを棒状部材と総称する。）が溶接等により連結されて形成されている。
【００１８】
パレット１００の４隅位置には、図２に示すように、所定の高さを有する支柱１２０が配置されている。妻枠２００をパレット１００上に立設する場合には、この支柱１２０の上面に妻枠２００が（具体的には、妻枠２００の支柱２０１が）載置される。
【００１９】
パレット１００の４隅位置の支柱１２０の外側には、断面Ｌ字状のコーナー金具（コーナー部）１１０が配設されている。
コーナー金具１１０は、図４に示すように、ロール製品用ラック１が折り畳まれて段積みされる際の支柱としても使用される。従ってコーナー金具１１０は、ロール製品用ラック１が折り畳まれた状態において、すなわち、後述するように妻枠２００及び側枠３００がパレット１００上に傾倒された状態において、ロール製品用ラック１の中で最も背の高い部材となるように形成される。
【００２０】
図２に示すように、コーナー金具１１０の上端部１１１は先細形状に形成されており、底部１１２は底広がり形状に形成されている。また、コーナー金具１１０の底部１１２は、底面に対して開口された形態に形成されている。折り畳まれた状態のロール製品用ラック１を段積みする際には、図４に示すように、下段のロール製品用ラック１のコーナー金具１１０の上端部１１１がその上に段積みされる上段のロール製品用ラック１のコーナー金具１１０の底部１１２の内側に挿入される。これにより、段積みされたロール製品用ラック１が相互に水平方向にずれることが防止され、ロール製品用ラック１を折り畳まれた状態で順次安定的に段積みすることができる。
【００２１】
Ｌ字状断面を形成するコーナー金具１１０の板面の一方の面であって、パレット１００の短手方向の両端に設置されるコーナー金具１１０の各対向面、すなわち、各コーナー金具１１０のパレット１００の長手方向に平行な面には、後述する妻枠２００の妻枠設置ピン２１０が挿入される妻枠設置ピン挿入孔１１３が形成されている。妻枠設置ピン挿入孔１１３は、鉛直方向に長い長円形状の孔であって、水平方向の幅は妻枠設置ピン２１０の直径と略同じ長さ（正確には、妻枠設置ピン２１０が挿入され長円中を容易に移動できるような若干の遊びを有する長さ）である。また、妻枠設置ピン挿入孔１１３の鉛直方孔の長さは、妻枠２００を上下移動させて妻枠２００のストッパーピン２２０をコーナー金具１１０のストッパーピン係合溝１１４に落とし込み、また、ストッパーピン係合溝１１４に落とし込まれたストッパーピン２２０を上方から抜き出すことができるように、ストッパーピン係合溝１１４の深さと略同じか、それより若干長い長さである。
【００２２】
また、コーナー金具１１０の妻枠設置ピン挿入孔１１３が形成されている板面と同じ板面の上縁部には、妻枠２００をコーナー金具１１０に沿ってパレット１００に立設する場合に妻枠２００に設けられたストッパーピン２２０が係合されるストッパーピン係合溝１１４が形成されている。ストッパーピン係合溝１１４に妻枠２００のストッパーピン２２０が落とし込まれることにより、妻枠２００はパレットの上面方向に傾倒不能な状態となり、コーナー金具１１０に沿ってパレット１００上に立設される。
【００２３】
また、パレット１００の上面には、側枠３００が設置される長手方向の辺縁に沿って、各辺縁に３箇所の側枠設置部材１３０が設置されている。側枠設置部材１３０は、側枠３００を妻枠２００間に立設した場合に、側枠３００の支柱３０１，３０２が配置される位置に設置される。具体的には、側枠設置部材１３０は、側枠３００の両側の支柱３０１に対しては、その内側で支柱３０１の側面に略接するように、また、側枠３００の中央の支柱３０２に対しては、側枠設置ピン３２０が突出している側で支柱３０２の側面に略接するように設置される。
【００２４】
各側枠設置部材１３０には、後述する側枠３００の側枠設置ピン３２０が挿入される側枠設置ピン挿入孔１３３が形成されている。側枠設置ピン挿入孔１３３は、鉛直方向に長い長円形状の孔であって、水平方向の幅は側枠設置ピン３２０の直径と略同じ長さ（正確には、側枠設置ピン３２０が挿入され長円中を容易に移動できるような若干の遊びを有する長さ）である。また、側枠設置ピン挿入孔１３３の鉛直方孔の長さは、側枠３００を上下移動させて側枠３００の係合爪（板状係合部）３３０を妻枠２００の係合爪受け部（係合受け部）２３０に差し込み、また、係合爪受け部２３０に差し込まれた係合爪３３０を上方から抜き出すことができるように、係合爪３３０と係合爪受け部２３０との係合深さと略同じか、それより若干長い長さである。
【００２５】
さらに、パレット１００の上面の４隅位置の、妻枠２００が設置される箇所のすぐ内側には、フック状の金具であるラッシングベルト係留部１４０が設置されている。ラッシングベルト係留部１４０には、後述するように、ロール製品用ラック１に収容したロール製品のコアの上方向への移動を抑制するための製品押えベルト５００が係留される。
【００２６】
一対の妻枠２００は、パレット１００の上面の長手方向両側に短手方向に沿って設置される枠部材である。すなわち、各妻枠２００は、パレット１００の短手方向を長手方向とする略長方形形状の枠部材である。妻枠２００の各々は、ロール製品用ラック１が組み立てられた時にはパレット１００の短手方向の辺縁に沿って立設され、ロール製品用ラック１が折り畳まれる時にはパレット１００の上面に傾倒される。
【００２７】
妻枠２００は、パレット１００の短手方向の長さに略等しい間隔に設置される２本の支柱２０１、２本の支柱の下端部を連結する下枠２０２、及び、支柱２０１の中間部と下枠２０２の中間部とを連結するように設置されるＬ字状の一対の中枠２０３を有する。
【００２８】
妻枠２００の２本の支柱２０１は、ロール製品を収容したロール製品用ラック１を段積みできるように、図３に示すように、収容したロール製品の上端の高さよりもさらに高くなる長さに形成されている。ロール製品を収容したロール製品用ラック１を段積みする際には、下段のロール製品用ラック１の妻枠２００の支柱２０１の上端部が、その上に段積みされる上段のロール製品用ラック１のコーナー金具１１０の底部１１２の内側に挿入される。これにより、段積みされたロール製品用ラック１が相互に水平方向にずれることが防止され、ロール製品用ラック１をロール製品を収容した状態で順次安定的に段積みすることができる。
【００２９】
中枠２０３は、各々、支柱２０１の略１／２の長さの垂直部２０４及び下枠２０２の１／２より若干短い水平部２０５が垂直に接続されて形成された部材である。一対の中枠２０３は、図示のごとく、垂直部２０４を所定の間隔離した状態で、いわゆる背面合わせの姿勢、形態で２本の支柱２０１間に設置される。２つの中枠２０３の垂直部２０４の間を所定の間隔離している分、中枠２０３の水平部２０５の長さは、下枠２０２の１／２の長さよりも短くなる。
【００３０】
妻枠２００の各支柱２０１の下端部の内側（パレット１００の上部空間側）には、妻枠２００をコーナー金具１１０に回動可能に設置する妻枠設置ピン２１０が設置されている。妻枠設置ピン２１０は、一方の端部（先端部）が妻枠２００の側端面から外方向に突出するように妻枠２００の各支柱２０１に設置されている。妻枠２００は、両側端部のこの妻枠設置ピン２１０をパレット１００のコーナー金具１１０の妻枠設置ピン挿入孔１１３に挿入することにより、パレット１００から離脱不能で、両妻枠設置ピン２１０を結ぶ軸を回転軸として回動可能に、パレット１００に設置される。
【００３１】
妻枠２００の各支柱２０１の中間部の外側面には、妻枠２００をパレット１００上に立設する際に、コーナー金具１１０のストッパーピン係合溝１１４に係合されるストッパーピン２２０が形成されている。ストッパーピン２２０がストッパーピン係合溝１１４に係合されることにより、妻枠２００はパレット１００の上部空間方向に傾倒することが不可能となり、コーナー金具１１０に沿って立設された状態に維持される。
【００３２】
妻枠２００の各支柱の中間部の内側（パレット１００の上部空間側）には、側枠３００の係合爪３３０が差し込まれる係合爪受け部２３０が形成されている。係合爪受け部２３０は、支柱２０１の幅でコ字状に折り曲げたスチール部材を支柱２０１に溶接等により装着することにより形成する。
【００３３】
妻枠２００の２つの中枠２０３の各垂直部２０４の内側（パレット１００の上部空間側）には、板状部材がパレット１００の上部空間側に突出するように設置されており、横振れストッパー２４１を構成している。横振れストッパー２４１を形成する各板状部材は、中枠２０３の垂直部２０４の下端部付近から垂直部２０４が水平部２０５と接続されている付近まで、各々対向するように形成されている。ロール製品用ラック１にロール製品が収容された場合に、ロール製品のコアがこの対向する板状部材の間に配置されることとなり、これによりロール製品の横方向（軸方向と垂直な方向）の移動が防止される。
【００３４】
横振れストッパー２４１を構成する対向配置された板状部材は、その上端部が外側（対向方向とは反対側）に傾斜するように折り曲げられて径方向案内部を形成しており、ロール製品をロール製品用ラック１に収容する際に、ロール製品の横方向の位置決めが容易に行えるようになっている。
【００３５】
妻枠２００の２つの中枠２０３の各垂直部２０４の内側（パレット１００の上部空間側）の面であって、横振れストッパー２４１（対向配置された一対の板状部材）の内側の面は、軸振れストッパー２４２として構成されている。ロール製品用ラック１にロール製品が収容された場合に、ロール製品のコアの端面がこの軸振れストッパー２４２に略当接した状態となり、これによりロール製品の軸方向の移動が防止される。
【００３６】
妻枠２００の中枠２０３の垂直部２０４の上側（垂直部２０４と水平部２０５とが接続された角部の上面）には、パレット１００の外側から内側方向に下向きに傾斜した軸方向案内部２４３が形成されており、ロール製品をロール製品用ラック１に収容する際に、ロール製品の軸方向の位置決めが容易に行えるようになっている。
【００３７】
これら横振れストッパー２４１及び軸振れストッパー２４２が、ロール製品のコアの妻枠２００に平行な横方向及び側枠３００に平行な軸方向の移動を防止する本発明のストッパー部材２４０を構成する。
【００３８】
妻枠２００を構成する各部材には、パレット１００と同様に、スチール製の角筒パイプ、Ｕ字鋼、あるいはＬ字鋼等の棒状部材が用いられる。
【００３９】
一対に側枠３００は、パレット１００の上面の短手方向両側に長手方向に沿って設置される枠部材であり、各々、パレット１００の長手方向両側に立設された一対の妻枠２００の対向する支柱２０１を連結する部材である。側枠３００の各々は、ロール製品用ラック１が組み立てられた時にはパレット１００の長手方向の辺縁に沿って立設され、ロール製品用ラック１が折り畳まれた時にはパレット１００の上面に傾倒される。
【００４０】
側枠３００は、パレット１００の長手方向の長さに略等しい間隔に設置される２本の両側の支柱３０１、２本の両側の支柱３０１の略中央に設置される中央の支柱３０２、及び、これら３本の支柱３０１，３０２を各々連結する接続部３０３を有する。各接続部３０３は、各支柱３０１，３０２の中央より若干下側の部分で水平に支柱３０１，３０２を接続する。なお、３本の支柱３０１、３０２の長さは、妻枠２００の支柱２０１よりも短い。
【００４１】
側枠３００の各支柱３０１，３０２の下端部の内側（パレット１００の上部空間側）には、側枠３００をパレット１００上に回動可能に設置する側枠設置ピン３２０が設置されている。側枠設置ピン３２０は、両側の支柱３０１においては、一方の端部（先端部）が側枠３００の内側方向に突出するように側枠３００の支柱３０１に設置されている。また、中央の支柱３０２においては、一方の端部（先端部）が、両側の支柱３０１のいずれか一方の方向に突出するように支柱３０２に設置されている。側枠３００は、これら側枠設置ピン３２０をパレット１００に設置された側枠設置部材１３０の側枠設置ピン挿入孔１３３に挿入することにより、パレット１００から離脱不能で、各側枠設置ピン３２０を結ぶ軸を回転軸として回動可能に、パレット１００に設置される。
【００４２】
側枠３００の両側の支柱３０１の上部の外側面には、上部が支柱３０１に接合され下部は解放された薄板部材であり、側枠３００を妻枠２００に連結するための係合爪３３０が設置されている。前述したように、妻枠２００の各支柱の中間部の内側には係合爪受け部２３０が形成されており、側枠３００は、両側の係合爪３３０が対向配置された妻枠２００の係合爪受け部２３０に各々差し込まれることにより、妻枠２００の対向する各支柱を連結する。そして、側枠３００は、この状態で、内側方向（パレット１００の上部空間方向）にも外側方向にも傾倒することが不可能となり、パレット１００の長手方向の辺縁に沿って立設された状態に維持される。
【００４３】
側枠３００の各支柱３０１，３０２の上面には、製品受け布４００を側枠３００上に固定設置するための埋め込みナット３４０が設置されている。埋め込みナット３４０は、支柱３０１，３０２の上面に開口を形成し、その内側にナットを溶接により設置したものである。製品受け布４００の製品受け布芯材４１０は、この埋め込みナット３４０を利用してボルト４３２により側枠３００の支柱３０１，３０２の上面に沿って設置される。
【００４４】
また、側枠３００の各支柱３０１，３０２の上部には、製品受け布芯材受け３４１，３４２が設置されている。製品受け布芯材受け３４１，３４２は、支柱３０１，３０２の上面に沿って載置された製品受け布４００の製品受け布芯材４１０が、内側に、すなわちパレット１００の上部空間側に落下しないように掛止する部材である。後述するが、製品受け布４００は、実際にロール製品が載置される布部４２０と、その両端部に設置される製品受け布芯材４１０とを有し、この一対の製品受け布芯材４１０が、対向設置される側枠３００の各支柱３０１，３０２上に各々載置される。従って、ロール製品を収容していない状態においても、ロール製品を収容した場合においても（その場合はより確実に）、製品受け布芯材４１０は内側方向に引っ張られることとなる。製品受け布芯材受け３４１，３４２は、このように力が加わる製品受け布４００の製品受け布芯材４１０を側枠３００の支柱３０１，３０２上に保持するための係合部材である。
【００４５】
側枠３００の両側の支柱３０１の上部には、断面Ｌ字状の製品受け布芯材受け３４１が設置される。このような形状により、側枠３００の両側の支柱３０１の上部の製品受け布芯材受け３４１は、製品受け布４００の製品受け布芯材４１０の内側への移動を阻止するとともに、製品受け布芯材４１０の軸方向の位置をも規定する。
【００４６】
また、側枠３００の中央の支柱３０２の上部には、板状の製品受け布芯材受け３４２が設置される。側枠３００の中央の支柱３０２の上部においては、製品受け布芯材受け３４２は、単に、製品受け布４００の製品受け布芯材４１０の内側への移動を阻止する。
【００４７】
製品受け布４００は、収容対象のロール製品を、その外周面を支持する形態で収容しパレット１００上に保持する部材である。製品受け布４００は、製品受け布芯材４１０及び布部４２０を有する。布部４２０の長手方向の辺縁は筒状に形成されており、この筒状の部分にスチール製の丸パイプが挿入され製品受け布芯材４１０として構成されている。製品受け布４００の布部４２０の素材は、ターポリン、キャンバス（綿帆布）あるいはナイロン等が好ましいが、強度が確保できる布状部材であれば任意の素材でよい。
【００４８】
製品受け布芯材４１０の長さは側枠３００の長さと略同じであり、製品受け布芯材受け３４１，３４２により規定される側枠３００の３本の支柱３０１、３０２の上面に沿って、支柱３０１，３０２上に固定設置される。製品受け布芯材４１０は、製品受け布芯材４１０たる丸パイプの上部から断面コ字状のスペーサ金具４３１を丸パイプの周面に沿って下向きに介在させ、その上部からスペーサ金具４３１と製品受け布芯材４１０とに一体にボルト４３２を貫通させ、これを支柱３０１，３０２の上部の埋め込みナット３４０に係合挿入することにより、側枠３００の支柱３０１，３０２上に固定設置される。
【００４９】
製品受け布４００の布部４２０の長手方向の長さは、側枠３００の両側の支柱３０１の間の内寸に略等しく、製品受け布芯材４１０を側枠３００上に設置した場合、布部４２０は製品受け布芯材４１０の両端のボルト４３２の内側に配置されることとなる。布部４２０の長手方向中央付近の、側枠３００の中央の支柱３０２に対応する箇所は切り欠きが形成されて製品受け布芯材４１０が露出するように形成されており、この箇所でボルト４３２により製品受け布芯材４１０を側枠３００の中央の支柱３０２に固定設置できるようになっている。
【００５０】
製品受け布４００は、両側の製品受け布芯材４１０を、対向配置された一対の側枠３００の上部に各々設置することにより、その間の布部４２０がパレット１００の上部空間にたるんだ状態で配置されることとなる。この状態で布部４２０上にロール製品を載置することにより、図１及び図３に示すように、ロール製品は布部４２０に外周下面を支持される形態でパレット１００上に保持される。
【００５１】
製品押えベルト５００は、図１及び図３に示すように、製品受け布４００によりパレット１００上に保持したロール製品の少なくとも上方向への移動を防止する部材である。本実施形態のロール製品用ラック１において製品押えベルト５００は、いわゆるラッシングベルトである。製品押えベルト５００は、ロール製品用ラック１の長手方向両端部の妻枠２００のすぐ内側に、両端部が前述したパレット１００のラッシングベルト係留部１４０に係留された状態で配置されており、ロール製品が製品受け布４００に載置された場合には、そのコアの端部の上方面を経由するように配置されて、そのロール製品のコアを下方に引っ張り、上方向への移動を防止する。製品押えベルト５００は、図示省略するがラチェット式の締め付け機構を具備しており、これにより適当な締め付け力でロール製品のコアを下方に引っ張り保持する。
【００５２】
ロール製品用ラック１は、このような構成を有する。
【００５３】
次に、このような構成のロール製品用ラック１の使用形態について説明する。
【００５４】
まず、折り畳まれているロール製品用ラック１を組み立ててロール製品を収容する方法、手順について説明する。
【００５５】
まず、パレット１００上に傾倒されている一対の妻枠２００を起こし、パレット１００上の長手方向両側にコーナー金具１１０に沿って立設させる。
各妻枠２００は、下端部内側の妻枠設置ピン２１０を回転軸として回動可能に構成されているので、例えば支柱２０１の上端部を把持してこれを上に引き上げることにより、妻枠２００はパレット１００上に傾倒された姿勢から鉛直方向に立設した姿勢とされる。
【００５６】
妻枠２００を略鉛直方向の姿勢としたら、さらにこれを持ち上げて回動させ、ストッパーピン２２０をパレット１００のコーナー金具１１０のストッパーピン係合溝１１４に落とし込む。妻枠２００の妻枠設置ピン２１０は、パレット１００のコーナー金具１１０の長円形状の妻枠設置ピン挿入孔１１３の鉛直方向の長さの範囲で上下に移動可能なので、これにより妻枠２００を上方向に移動させストッパーピン２２０をストッパーピン係合溝１１４に係合させる。
【００５７】
妻枠２００をパレット１００上に立設したら、次に、側枠３００をパレット１００上に立設する。
各側枠３００は、下端部内側の側枠設置ピン３２０を回転軸として回動可能に構成されているので、例えば支柱３０１，３０２の上端部を把持してこれを上に引き上げることにより、側枠３００はパレット１００上に傾倒された姿勢から鉛直方向に立設した姿勢とされる。
【００５８】
側枠３００を略鉛直方向の姿勢としたら、さらにこれを持ち上げて回動させ、係合爪３３０を妻枠２００の係合爪受け部２３０に差し込む。側枠３００の側枠設置ピン３２０は、パレット１００の側枠設置部材１３０の長円形状の側枠設置ピン挿入孔１３３の鉛直方向の長さの範囲で上下に移動可能なので、これにより側枠３００を上方向に移動させ係合爪３３０を係合爪受け部２３０に嵌合させる。
【００５９】
製品受け布４００は一対の側枠３００の上部に固定設置されているので、側枠３００を立設すればロール製品用ラック１は既にロール製品を収容可能な状態である。すなわち、この状態で、パレット１００の製品受け布４００の上にロール製品を載置する。
この際、ロール製品をパレット１００の略中央部に配置するようにすれば、軸振れストッパー２４２の上部の径方向案内部及び軸方向案内部２４３の作用にも支援されて、ロール製品のコアの端部は妻枠２００に形成された一対の横振れストッパー２４１の間に配置され、また、ロール製品のコアは対向配置された妻枠２００の各軸振れストッパー２４２の間に配置されることとなる。これにより、ロール製品は、横方向及び軸方向の移動、すなわち振動や振れが防止された状態で、ロール製品用ラック１に収容される。
【００６０】
このようにロール製品を載置したら、ロール製品の上方向への浮き上がりを防止するために、ロール製品のコアに製品押えベルト５００を装着する。すなわち、製品押えベルト５００たるラッシングベルトをロール製品のコアの上方周面にかかるように設置し、図示せぬ締め付け機構により、ロール製品のコアが適度な力で引っ張られるように製品押えベルト５００を締め付ける。
これにより、ロール製品の浮き上がりも防止され、ロール製品はロール製品用ラック１に収容され保持された状態となる。
【００６１】
このようにしてロール製品が収容されたロール製品用ラック１は、必要に応じて段積みされて、搬送等される。
ロール製品を収容したロール製品用ラック１を段積みする際には、妻枠２００の支柱２０１の上部を、段積みする上側のロール製品用ラック１のパレット１００のコーナー金具１１０の底部に係合させる。これにより、段積みされたロール製品用ラック１が相互に水平方向にずれることが防止される。
【００６２】
次に、搬送等が終了したロール製品用ラック１からロール製品を取り出し、さらに、空となったロール製品用ラック１を回送等のために折り畳む方法、手順について説明する。
ロール製品を取り出す際には、まず、製品押えベルト５００によるロール製品のコアの規制を解除する。製品押えベルト５００の締め付け機構を緩め、ラッシングベルトをロール製品のコアの上方周面からはずす。これにより、ロール製品は、既に上方から取り出し可能な状態となる。
【００６３】
ロール製品をロール製品用ラック１から取り出したら、ロール製品用ラック１を折り畳む。
まず、側枠３００を上方に持ち上げ、側枠３００の係合爪３３０と妻枠２００の係合爪受け部２３０との嵌合を解除し、側枠３００の上部をパレット１００上に傾倒させる。これにより、側枠３００はパレット１００上に折り畳まれた状態となる。
【００６４】
側枠３００をパレット１００上に折り畳んだら、次に、妻枠２００を上方に持ち上げ、妻枠２００のストッパーピン２２０とパレット１００のコーナー金具１１０のストッパーピン係合溝１１４との係合を解除し、妻枠２００の上部をパレット１００上に傾倒させる。これにより、妻枠２００はパレット１００上に折り畳まれた状態となる。
【００６５】
以上の手順により、ロール製品用ラック１は既に折り畳まれた状態となっている。
このようにして折り畳まれたロール製品用ラック１は、図４に示すように必要に応じて段積みされて、搬送等される。
【００６６】
このように、本実施形態のロール製品用ラック１においては、ロール製品を、そのコアを支持するのではなく、その外周面全体を製品受け布４００で巻き込むようにして支持し、保持、収容することができる。従って、サイズが大きく重量が重く高付加価値な高価なロール製品であっても、特殊なコア（支管）を用いることなく、換言すれば安価なコアを用いて、安全かつ効率よく保持し搬送等をすることができる。
【００６７】
また、本実施形態のロール製品用ラック１においては、図３に示すように、径の異なるロール製品を収容することができる。従って、複数種類の製品に対して同じロール製品用ラック１を使用することができ、その点においても非常に効率がよい。
【００６８】
また、ロール製品用ラック１は、不要な時は折り畳んで段積みしておくことができるので、回送や保管を効率よく行える。
【００６９】
また、ロール製品用ラック１の使用手順、組み立て／折り畳み手順は、前述したように非常に簡単なものである。従って、少数の作業員で効率よく作業を行うことができる。
【００７０】
なお、前述した実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００７１】
例えば、前述した実施形態におけるパレット１００、妻枠２００、側枠３００、製品受け布４００及び製品押えベルト５００等の配置、構成、数等は、任意に変更可能である。
また、ロール製品用ラック１が収容可能なロール製品も、何ら限定されるものではない。
【産業上の利用可能性】
【００７２】
本発明は、ロール状に形成された種々のシート状製品、テープ状製品、フィルム状製品の収容、保管、搬送等において利用可能である。
【符号の説明】
【００７３】
１…ロール製品用ラック
１００…パレット
１０１…リフト用開口
１１０…コーナー金具
１１１…上端部
１１２…底部
１１３…妻枠設置ピン挿入孔
１１４…ストッパーピン係合溝
１２０…支柱
１３０…側枠設置部材
１３３…側枠設置ピン挿入孔
１４０…ラッシングベルト係留部
２００…妻枠
２０１…支柱
２０２…下枠
２０３…中枠
２０４…垂直部
２０５…水平部
２１０…妻枠設置ピン
２２０…ストッパーピン
２３０…係合爪受け部
２４０…ストッパー部材
２４１…横振れストッパー
２４２…軸振れストッパー
２４３…軸方向案内部
３００…側枠
３０１、３０２…両側の支柱
３０３…接続部
３２０…側枠設置ピン
３３０…係合爪
３４０…埋め込みナット
３４１、３４２…製品受け布芯材受け
４００…製品受け布
４１０…製品受け布芯材
４２０…布部
４３１…スペーサ金具
４３２…ボルト
５００…製品押えベルト
【図１】
2014037243.tif 000003
【図２】
2014037243.tif 000004
【図３】
2014037243.tif 000005
【図４】
2014037243.tif 000006